(57)【要約】【課題】沈胴状態を有するズームレンズ鏡筒において、コンパクトなサイズのピニオンギヤ駆動機構を有するズームレンズ鏡筒を提供する。【解決手段】内周面に内歯ギヤ１０１と第１のカム溝１０２Ｊとを有し、光軸周りに回動される第１の枠部材１００と、上記第１の枠部材１００と嵌合し、該上記第１の枠部材を回転可能に支持し、長穴の貫通孔６５を有し軸７１を有する第２の枠部材６０と、上記軸に回転可能でかつ光軸方向にも移動可能なように軸支され、上記内歯ギヤと噛合して上記第１の枠部材の回動により回転されるピニオンギヤ７０と、上記ピニオンギヤをその歯幅方向で係合して、第１のカム溝に従って上記ピニオンギヤを回転可能な状態で光軸方向に進退移動させるピニオンギヤ光軸駆動部材７２と、を備える。【選択図】図２
2010256644.tif 000002
【特許請求の範囲】
【請求項１】
ズームレンズ鏡筒において、
内周面に内歯ギヤと第１のカム溝とを有し、光軸周りに回動される第１の枠部材と、
上記第１の枠部材と嵌合し、該上記第１の枠部材を回転可能に支持し、円筒形状を成し、該円筒の周面に光軸と平行に設けられた長穴の貫通孔を有し該穴を跨ぐ様に光軸と平行に橋渡された軸を有する第２の枠部材と、
上記軸に回転可能でかつ光軸方向にも移動可能なように軸支され、上記内歯ギヤと噛合して上記第１の枠部材の回動により回転されるピニオンギヤと、
上記ピニオンギヤをその歯幅方向で係合して、上記第１の枠部材の第１のカム溝に従って上記ピニオンギヤを回転可能な状態で光軸方向に進退移動させるピニオンギヤ光軸駆動部材と、
外周面にギヤが設けられ当該ギヤには上記ピニオンギヤが噛合され、内周面には第２のカム溝を有し、上記第２の枠部材に対し相対的に回動可能で、さらに光軸方向にも進退可能なように設けられて、上記ピニオンギヤを介して上記第１の枠部材の回動に従って上記第２の枠部材に対し回動される第３の枠部材と、
上記第２のカム溝により光軸方向に移動される第４の枠部材を具備する
ことを特徴とするズームレンズ鏡筒。
【請求項２】
上記第４の枠部材はレンズを保持している
ことを特徴とする請求項１記載のズームレンズ鏡筒。
【請求項３】
上記ズームレンズ鏡筒は、非撮影状態においては、少なくとも上記第３の枠部材及び上記第４の枠部材が上記第２の枠部材の内部に収納されて、上記ズームレンズ鏡筒の光軸方向の全長が撮影可能な状態における全長より短縮された沈胴状態になる
ことを特徴とする請求項１又は２記載のズームレンズ鏡筒。
【発明の詳細な説明】
【技術分野】
【０００１】
本発明は、ズームレンズ鏡筒の鏡枠部材を移動する構成に関する。
【背景技術】
【０００２】
ズームレンズ鏡筒の内部には、焦点距離の変更指示に基づき、内部にある複数のズームレンズを所定位置に駆動するため駆動機構が設けられる。この駆動機構の小型化は、常に要請されているところである。そして、このズームレンズの駆動手段としてピニオンギヤがよく用いられるが、駆動させるズームレンズの鏡枠の移動距離が長い場合には、駆動する側であるピニオンギヤも連動して移動させる機構を設ける必要がある。
【０００３】
このピニオンギヤを連動して移動させる提案の１つとして、特許文献１には、回動しながら光軸方向にも移動する鏡枠を駆動するためのピニオンを、鏡枠の移動に連携して移動させるために、このピニオンをDカット軸に嵌合して、直進方向にも移動可能なように支持し、鏡枠移動に連携して移動する部材でこのピニオンを光軸方向に移動させるという、駆動装置が提案されている。
【先行技術文献】
【特許文献】
【０００４】
【特許文献１】特開平７−１５９６６４号公報
【発明の概要】
【発明が解決しようとする課題】
【０００５】
ズームレンズ鏡筒においては、不使用時には鏡筒の全体長を短縮できる、いわゆる沈胴可能な鏡筒は、携帯時の利便性から歓迎されている。
【０００６】
このような沈胴状態を有するズームレンズ鏡筒において、とりわけズームレンズが通常の撮影に加えて沈胴領域まで移動することになり、つまり、ズームレンズの移動距離が長くなるので、上記したようなズームレンズを駆動するためのピニオンギヤの移動量も長くなる。
【０００７】
従って、沈胴状態を有するズームレンズ鏡筒では、ズームレンズの移動に連動してピニオンギヤを光軸方向へ駆動させるピニオンギヤ駆動機構を小型化することが重要になる。
【０００８】
本発明は、上記課題に鑑み、沈胴状態を有するズームレンズ鏡筒において、コンパクトなサイズのピニオンギヤ駆動機構を有するズームレンズ鏡筒を提供することを目的とする。
【課題を解決するための手段】
【０００９】
上述した課題を解決し、目的を達成するために、本発明にかかるカメラは、ズームレンズ鏡筒において、内周面に内歯ギヤと第１のカム溝とを有し、光軸周りに回動される第１の枠部材と、上記第１の枠部材と嵌合し、該上記第１の枠部材を回転可能に支持し、円筒形状を成し、該円筒の周面に光軸と平行に設けられた長穴の貫通孔を有し該穴を跨ぐ様に光軸と平行に橋渡された軸を有する第２の枠部材と、上記軸に回転可能でかつ光軸方向にも移動可能なように軸支され、上記内歯ギヤと噛合して上記第１の枠部材の回動により回転されるピニオンギヤと、上記ピニオンギヤをその歯幅方向で係合して、上記第１の枠部材の第１のカム溝に従って上記ピニオンギヤを回転可能な状態で光軸方向に進退移動させるピニオンギヤ光軸駆動部材と、外周面にギヤが設けられ当該ギヤには上記ピニオンギヤが噛合され、内周面には第２のカム溝を有し、上記第２の枠部材に対し相対的に回動可能で、さらに光軸方向にも進退可能なように設けられて、上記ピニオンギヤを介して上記第１の枠部材の回動に従って上記第２の枠部材に対し回動される第３の枠部材と、  上記第２のカム溝により光軸方向に移動される第４の枠部材を具備することを特徴とする。
【発明の効果】
【００１０】
沈胴状態を有するズームレンズ鏡筒において、コンパクトなサイズのピニオンギヤ駆動機構を有するズームレンズ鏡筒を提供することができる。
【図面の簡単な説明】
【００１１】
【図１】図１は、ズームレンズ鏡筒の分解斜視図である。
【図２】図２は、図１の分解斜視図の中で、ピニオンギヤを駆動する駆動機構の要部を説明する図である
【図３】図３は、沈胴状態でのズームレンズ鏡筒の断面図である。
【図４】図４は、撮影開始状態でのズームレンズ鏡筒の断面図である。
【図５】図５は、撮影状態でのズームレンズ鏡筒の断面図である。
【発明を実施するための形態】
【００１２】
以下、本発明の実施の形態を図１から図５に基づいて説明する。本実施形態では、本願のズームレンズ鏡筒を一眼レフカメラ用の交換レンズに適用した例で示す。
【００１３】
図１は、ズームレンズ鏡筒１の主要部材を分解して、光軸Ｐに沿って並べた分解斜視図である。紙面の右が被写体側、左がカメラボディ側である。
【００１４】
ズームレンズ鏡筒１は、主要部材として、被写体側から順番に、第1前枠１０、第2前枠２０、ＡＦ枠３０、外カム枠４０、内カム枠５０、固定枠６０、第２レンズユニット８０、焦点環９５、仕切り板９８、ズーム環１００、保持枠１１５、レンズマウント１２０から構成される。つまり、レンズマウント１２０が最もカメラボディ側に位置する。カメラボディは、説明簡略化のため省略している。なお、ズーム環１００を第１の枠部材、固定枠６０を第２の枠部材、外カム枠４０を第３の枠部材、第2前枠２０を第４の枠部材  とも表記する。
【００１５】
また、複数のレンズから形成されるレンズ群は、被写体側から順番に、第1レンズＺ１、第２レンズ、第３レンズＺ３  で構成される。第２レンズは、説明の便宜上第２１レンズＺ２１と第２２レンズＺ２２に分けている。後述するように、ズームレンズ鏡筒１は、非撮影状態では第1レンズＺ１、第２レンズ等を内部に収納して、全体長を撮影状態よりも短縮することができる。そしてこの態様は、機能的にはレンズ一体型カメラの沈胴状態と同一なので、本実施形態では、この短縮状態も沈胴状態と呼ぶ。
【００１６】
以下に各部材を詳細に説明する。なお、以下説明においては、被写体側を前方側あるいは前方、カメラボディ側を後方側あるいは後方とも表記する。また、最後の大文字のアルファベットが付加された符号は、嵌合の組み合わせを示すためのもので、アルファベットが同一の符号の部材が嵌合の組み合わせであることを示す。
【００１７】
第1前枠１０は、円筒形状を有し、第１レンズＺ１が内部の前方側に保持されている。第1前枠１０は、ピント調整用の鏡枠である。第1前枠１０には、外周の前方端にフランジ部１１が形成され、フランジ部の後方の外周面には全面に渡ってオスヘリコイドネジ１２が形成されている。第1前枠１０の内周には、破線で示すように後方端から前方端に向かって光軸に平行に嵌合溝１３Ａが２箇所形成されている（１箇所のみ図示）。この係合溝には後述するＡＦ枠３０の駆動片３５Ａが嵌合して、第1前枠１０は、ＡＦ枠３０の回動に連動して回動される。
【００１８】
第２前枠（第４の枠部材）２０は、円筒形状を有し、内部は空間になっていて、内周には前方端部から中央までの領域にメスヘリコイドネジ２１が形成されている。このメスヘリコイドネジ２１には、オスヘリコイドネジ１２が係合される。第２前枠２０の外周には、嵌合凸部２２Ｃとその上に更にカムピン２３Ｂが設けられた嵌合部の組が円周上に、各3箇所（略１２０度均等）設けられている。
【００１９】
なお、嵌合凸部２２Ｃは、角型の凸部で、後述する内カム枠５０の直進溝５２Ｃに嵌合する。また、カムピン２３Ｂは、円筒形状で、後述する外カム枠４０のカム溝４１Ｂに嵌合する。また、第２前枠２０の後端には、後述する第２レンズユニットのガイド腕８８Ｈが移動する際の逃げとなる逃げ部２４が、このガイド腕８９Ｈの対応する位置に3箇所光軸方向と平行に形成されている。
【００２０】
ＡＦ枠３０は、第1前枠１０を第２前枠２０に対して移動させるためのＡＦモータ３１、ＡＦモータの回転を減速するための円弧状のギヤボックス３２、ギヤボックス３２の出力ギヤによって回転される駆動リング３３等から構成される。駆動モータ３１とギヤボックス３２は、第２カム枠２０の内周に固定される。一方、駆動リング３３は、第２前枠２０に対して、図示せぬ構成により回転可能に支持される。ギヤボックス３２の内部には、ＡＦモータ３１からの回転を減速する複数のギヤが配列されている。
【００２１】
駆動リング３３の内周の一部には、ギヤボックス３２の出力ギヤに噛み合うギヤ部３４が形成され、また駆動リング３３には前方方向に突出するように駆動片３５Ａが、約１８０°離れて２箇所が形成されている。駆動モータ３１の回転によりギヤボックス３２を介して駆動リング３３が光軸を中心として回動され、この回動が駆動片３５Ａと駆動片３５Ａが嵌合された嵌合溝１３Ａを介して第１前枠１０に伝達される。
【００２２】
第１前枠１０は、オスヘリコイドネジ１２がメスヘリコイドネジ２１に係合されているので、第２前枠２０に対して回動しながら前後に進退移動する。これにより、ピント調整が行われる。
【００２３】
外カム枠４０（第３の枠部材）と内カム枠５０とは、前後方向には一体で移動し、回転方向には独立して移動可能で、焦点距離変更のために、第２前枠２０と第２レンズユニット８０を移動させるためのものである。
【００２４】
外カム枠４０は円筒形状を有し、内部が内カム枠５０を収納する空間になっている。外カム枠４０の内周には、いずれも有底溝としてカム溝（第２のカム溝とも呼ぶ）４１Ｂとカム溝４２Ｄが形成されている。カム溝４１Ｂは、第２前枠２０を移動させるためのカム溝で、第２前枠のカムピン２３Ｂが嵌合する。カム溝４２Ｄは、第２レンズユニットを移動させるためのカム溝で、後述する第２レンズユニットのカムピン８９Ｄが嵌合する。
【００２５】
外カム枠４０の内周の後方端付近に、円周方向に沿って有底の規制溝４６Ｆが形成されている。この規制溝４６Ｆは、外カム枠４０の内周に嵌合された内カム枠５０を回転のみ可能に支持するためのもので、後述する内カム枠５０の規制突起５４Ｆが嵌合する。外カム枠４０の外周の後方に、円周方向に沿って外周ギヤ４４が、ほぼ全周に渡って形成されている。外周ギヤ４４には、外カム枠４０を固定枠６０に対して回動させるためのもので、固定枠６０の後述するピニオンギヤ７０が噛み合う。また、固定枠６０に対して外カム枠４０と内カム枠５０が焦点距離変更時に移動するので、外周ギヤ４４の歯幅は、ピニオンギヤ７０よりその移動範囲分だけ広い幅で形成されている。
【００２６】
外周ギヤ４４の形成された領域には、さらにカムピン４５Ｅが設けられている。カムピン４５Ｅは、焦点距離変更のために、固定枠６０に対して外カム枠４０と内カム枠５０の組を前後に移動させるためのもので、後述する固定枠６０のカム溝６２Ｅに嵌合する。
【００２７】
内カム枠５０は円筒形状を有し、内部は空間で、後方端にはフランジ部５５が形成されている。内カム枠５０は外カム枠４０の後方から挿入され、内カム枠５０の外周が外カム枠４０の内周に摺動可能に嵌合し、内カム枠５０のフランジ部５５が外カム枠４０の後方端に摺動可能に当接する。
【００２８】
内カム枠５０の周面には、貫通口である直進溝５１Ｈ、直進溝５２Ｃが光軸方向にそれぞれ3本形成されている。直進溝５１Ｈは、後述する第２レンズユニット８０のガイド腕８８Ｈが嵌合するもので、第２レンズユニット８０の移動を光軸方向に案内し、光軸周りに回動するのを規制するためのものである。直進溝５２Ｃには第２前枠２０の移動を光軸方向に案内し、光軸周りに回動するのを規制するためのもので、嵌合凸部２２Ｃが嵌合する。
【００２９】
内カム枠５０の外周には、規制突起５４Ｆが形成されている。規制突起５４Ｆは、外カム枠４０の内カム枠５０に対する移動を、回転方向に許容し、光軸方向に相対移動することを規制するためのもので、外カム枠４０の円周溝４６Ｆに嵌合する。また、内カム枠５０のフランジ部５５には、径方向に規制突起５３Ｇが形成されている。規制突起５３Ｇは、内カム枠５０の移動を光軸方向に案内し、光軸周りに回動することを規制するためのもので、後述する固定枠６０の直進溝６３Ｇに嵌合する。
【００３０】
固定枠（第２の枠部材）６０は円筒形状を有し、内部は空間で構成される。固定枠６０は、先端にフランジ部６１が形成され、内周にはカム溝６２Ｅと光軸方向に沿った直進溝６３Ｇが形成されている。カム溝６２は、外カム枠４０を前後に移動させる領域のカム溝６２Ｅ´と外カム枠４０を光軸方向には進退させず、相対回動のみを行わせるカム溝６２Ｅからなり、前述した外カム枠４０のカムピン４５Ｅが嵌合される。直進溝６３Ｇは、内カム枠５０の移動を光軸方向に許容し、光軸周りの回動を規制するためのもので、前述した内カム枠５０の規制突起５３Ｇが嵌合される。
【００３１】
固定枠６０の外周には、円周方向の3箇所に、略１２０°均等間隔で取付部６４が形成されている。取付け部６４は、光軸と平行に設けられ、それぞれ軸７１、ピニオンギヤ７０、板７２が組み付けられる。軸７１は、ストレートのシャフトである。板７２は、光軸と平行に細長い形状の薄板で、中央付近に板に垂直に外側に向けてカムピン７３Ｊが設けられ、前方側に四角形状の開口部７４が形成されている。板７２は、またピニオンギヤ光軸駆動部材とも呼ぶ。詳細は、図２で説明する。
【００３２】
第２レンズユニット８０は、被写体側から順番に、前段レンズ枠８１、絞りユニット８５、後段レンズ枠８７が、一体として構成される。
【００３３】
前段レンズ枠８１には、第２１レンズＺ２１が保持される。絞りユニット８５は、内部に絞り羽根を備えて、通過する被写体光量を内部の絞り羽根の開閉により調整するためのものである。絞りユニット８５は、円筒形状で、側面に、内部の絞り羽根の開閉を調整する絞りモータ８６を備えられる。
【００３４】
後段レンズ枠８７は、第２２レンズＺ２２を中央部に保持する円盤状の部分と、円盤状の部分から円周方向に略１２０°間隔で径方向に伸びるような３本の腕状の部分と、３本の腕状の部分の端部からさらに光軸方向に沿って前方方向に伸びるよう形成されたガイド腕８８Ｈから構成される。
【００３５】
３箇所の細長形状のガイド腕８８Ｈの先端付近には、さらにそれぞれカムピン８９Ｄが設けられている。ガイド腕８８Ｈは、内カム枠５０に形成された直進溝５１Ｈに摺動可能に嵌合する。ここで、内カム枠５０の移動は光軸方向にのみ移動可能に規制されているので、第２レンズユニット８０の移動も光軸方向にのみ移動可能に規制される。カムピン８９Ｄは、外カム枠４０の回動に応じて第２レンズユニット８０の光軸方向の位置を決めるためのもので、外カム枠４０に設けられたカム溝４２Ｄに摺動可能に嵌合する。
【００３６】
焦点環９５は、リング形状を有し、ピントを調整するためにユーザーによって回動操作される操作部材である。操作された回動量は、不図示のロータリーエンコーダーによって検出され、検出されたパルス数に応じた量だけ回動するようにＡＦモータ３１に指示がなされる。仕切り板９８は、リング状の形状を有し、焦点環９５とズーム環１００とを仕切るためのもので、焦点環９５とズーム環１００の間に挟まれて固定枠６０に固定される。
【００３７】
ズーム環（第１の枠部材）１００は、焦点距離を変更するためにユーザーによって回動操作される操作部材である。ズーム環１００は、円筒形状を有し、内周に内歯ギヤ１０１、ズームカム溝１０２Ｊが形成されている。ズームカム溝１０２Ｊは、沈胴領域を担当する沈胴領域カム溝１０２Ｊ―1と撮影領域を担当する撮影領域カム溝１０２Ｊ−２が、連続するものである。各レンズ鏡枠類を沈胴（短縮）状態の位置まで移動させる沈胴領域を担当する沈胴領域カム溝１０２Ｊ−１は、斜めに形成されている。撮影領域を担当する撮影領域カム溝１０２Ｊ−２は、円周に沿って形成されている。沈胴領域カム溝１０２Ｊ−１と撮影領域カム溝１０２Ｊ−２の合流点からやや撮影領域カム溝の中に入った点が、撮影開始の位置である。ズームカム溝を第１のカム溝とも呼ぶ。ズームカム溝１０２Ｊは板７２を介してピニオンギヤ７０を光軸方向に移動させるもので、内歯ギヤ１０１はこのピニオンギヤ７０を回動させる。
【００３８】
内歯ギヤ１０１は、ズームカム溝１０２とズーム環１００の前方側端面との間に形成されている。内歯ギヤ１０１の歯幅は、対応するピニオンギヤ７０の歯幅より十分広く形成され、沈胴領域の端部で最大幅で、沈胴領域カム溝１０２Ｊ−１に沿って撮影開始位置まで次第に減少する。撮影領域では、撮影領域カム溝１０２Ｊ−２が円周に沿って形成されているので、内歯ギヤ１０１の歯幅は一定で形成される。詳細は、図２で説明する。
【００３９】
電気基板１０５は、ズームレンズ鏡筒１における制御回路系が実装されている。電気基板１０５には、ＡＦモータ３１、絞りモータ８６等のドライブ回路や、焦点環９５用のロータリーエンコーダーの検出回路、あるいはカメラボディとの通信インターフェース回路等が実装されている。
【００４０】
第３レンズ枠１１０には、第３レンズＺ３が保持されている。保持枠１１５は、リング形状を有し、第３レンズ枠１１０を内部に保持している。レンズマウント１２０は、ズームレンズ鏡筒１を図示なきカメラボディに取り付けるための取付け部材であり、保持枠１１５を介して固定枠６０に固定されている。
【００４１】
図２は、ピニオンギヤ７０の駆動機構を説明するための図であって、上記図１において示した主要部材の中で、ピニオンギヤ７０の駆動機構に係る部分を抽出して拡大した斜視図である。ピニオンギヤ７０は固定枠６０に３箇所取り付けられるが、動作は共通なので、１箇所を代表して示す。
【００４２】
固定枠６０の外周面の一部に光軸と平行な方向で取付け部６４が形成されている。取付け部６４として、外周面が一段凹んだ平面部分と、その凹んだ平面部分に光軸と平行に設けられた長穴の貫通孔６５が形成され、貫通孔６５の両端には軸７１を保持するための軸受け部６６が設けられる。
【００４３】
ピニオンギヤ７０が嵌合された軸７１が、その両端が軸受け部６６に支持されて取付けられる。取り付けられた状態で、ピニオンギヤ７０は、軸７１に対して回転及び軸方向への移動が可能である。ピニオンギヤ７０が嵌合された軸７１が取付け部６４に取り付けられた後に、さらに板（ピニオンギヤ光軸駆動部材）７２が組み付けられる。
【００４４】
板７２の開口７４は、角型形状の孔で、ピニオンギヤ７０のギヤの一部がこの開口７４から露出可能な形状となっている。板７２はさらに、カムピン７３Ｊを軸７１と対向する面とは反対面の外面に有している。板７２は、ピニオンギヤ７０を開口７４に係合させるようにして、軸７１の上にかぶさるように取付け部６４に組み付けられる。そして、板７２は取付け部６４に光軸方向に沿って移動自在に保持される。この状態で、ピニオンギヤ７０は、その回動は自在であるが、開口７４によって幅方向（光軸方向）への移動が規制される。つまり、板７２はピニオンギヤを光軸方向に進退させる機能を備えるので、ピニオンギヤ７０を光軸駆動部材とも呼ぶ。
【００４５】
以上の構成による各鏡枠の一連の動作を簡単に説明する。まず、沈胴完了状態から、ズーム環１００が回動されると、ピニオンギヤ７０が内歯ギヤ１０１により回転される。そして、沈胴領域カム溝１０２Ｊ−１とカムピン７３Ｊとの係合により、前進しながら回転されるピニオンギヤ７０によってこれに噛合する外周ギヤ４４の回動により外カム枠４０が回動される。このときに外カム枠４０は固定枠６０のカム溝６２Ｅ´に従うので回動しながら前進する。内カム枠５０は外カム枠４０の前進にのみ連動するので、回動はせずに直進移動する。外カム枠５０の回動によりカム溝４１Ｂに従い第２前枠が前進する。第２前枠の前進に従い、第１前枠も前進する。外カム枠４０のカム溝４２Ｄに従い第２レンズユニット８０も前進する。ＡＦ枠３０は、第２前枠と一体なので、第２前枠とともに前進する。
【００４６】
図２（Ｂ）は、板７２によるピニオンギヤ７０の駆動を説明する部分図である。板７２は、ズームカム溝１０２の溝位置で光軸方向の位置が決められるので、板７２は、沈胴完了状態では、沈胴領域カム溝１０２Ｊ−１に従い、最も後方に位置する。実線で示される板７２ａがこの位置である。開口７４に従って移動されるピニオンギヤ７０も、最も後方に位置する。同じく実線で示されるピニオンギヤ７０ａがこの位置である。
【００４７】
そして、ピニオンギヤ７０の移動軌跡を内歯ギヤ１０１に重畳して破線ｓで示す。この沈胴完了状態でのピニオンギヤ７０ａは、ピニオンギヤ７０の歯幅より十分広く形成された内歯ギヤ１０１の歯幅の後方側の位置（ｓ１）で噛み合っている。
【００４８】
沈胴完了状態からズーム環１００が回動されると、ズームカム溝１０２Ｊにはカムピン７３Ｊが嵌合され、かつ板７２は光軸方向へのみ移動されるよう規制されているので、沈胴領域カム溝１０２Ｊ−１の軌跡に沿って、板７２が板７２ａの位置から前側（被写体）方向に移動する。板７２の移動に従って開口７４に係合されるピニオンギヤ７０も、前側（被写体）方向に移動される
ピニオンギヤ７０は、移動軌跡ｓで示されるように、内歯ギヤ１０１の斜めの領域をトレースしながら前側方向に移動する。つまり、ピニオンギヤ７０の移動する位置には、常に内歯ギヤの歯が確保されるようになっている。
【００４９】
そして、ズーム環１００が回動されて撮影開始可能状態では、板７２が破線の板７２ｂの位置になり、ピニオンギヤ７０が破線のピニオンギヤ７０ｂの位置になる。ピニオンギヤ７０は、内歯ギヤ１０１上で噛み合い位置ではｓ２に達している。
【００５０】
そして、撮影状態で焦点距離変更にために、ズーム環１００がさらに回動された場合には、ピニオンギヤ７０は光軸方向へは移動されなくなり、ピニオンギヤ７０は内歯ギヤ１０１の歯幅が一定に形成された領域で噛み合って、回転される。このとき、カムピン７３Ｊは撮影領域カム溝１０２Ｊ−２の中を摺動している。
【００５１】
そして、回転されるピニオンギヤ７０は、その内側の歯で、固定枠６０の内周に嵌合された外カム枠４０の外周ギヤ４４と噛み合っている。ここで、固定枠６０の内周に嵌合された外カム枠４０の外周ギヤ４４は、その歯幅がピニオンギヤ７０より数倍広い歯幅で形成されている。これは、前述したように、焦点距離変更時には、外カム枠４０と内カム枠５０が固定枠６０に対して移動するためにその移動量をカバーするためである。
【００５２】
以上により、ズーム環１００の回動が、前後への移動も可能なピニオンギヤ７０の回転を介して、外カム枠４０の回動に伝達される。
【００５３】
図３から図５を用いて、以上の動作によるズームレンズ鏡筒１の鏡枠の移動の様子を簡単に説明する。図３から図５は、沈胴（短縮）と撮影の各状態間での、ズームレンズ鏡筒１を光軸面で断面した図である。図３は、沈胴状態でのズームレンズ鏡筒１の断面図である。図４は、撮影開始可能状態でのズームレンズ鏡筒１の断面図である。図４でのズーム距離は、ワイド端であり、ピントは無限遠位置とする。図５は、ズームがテレ端状態でのズームレンズ鏡筒１の断面図である。ピントは同じく無限遠位置とする。もちろん、テレワイドやピントの設定はこれに限られるものでなく、あくまで一例である。
【００５４】
図３から説明する。焦点環９５、仕切り板９８、ズーム環１００が、固定枠６０と保持枠１１５の間に挟まれるように設けられている。レンズマウント１２０は、カメラボディに対向する側に設けられている。沈胴状態では、固定枠６０の内部空間に、第１前枠１０、第２前枠２０、外カム枠４０、内カム枠５０が全て収納されている。第１前枠１０も第２前枠２０内部に最も引き込まれている。この状態では、第１レンズＺ１、第２１レンズＺ２１、第２２レンズＺ２２等の部材も、光軸方向の間隔をぎりぎり詰められた位置に配置されている。そして、ピニオンギヤ７０、板７２も、後方側に位置している。
【００５５】
図４は、撮影開始状態での図である。撮影者によるズーム環１００の回動操作によって、図３の沈胴状態から撮影開始状態に移行する。上記で説明したように、ズーム環１００の回動操作によって、ピニオンギヤ７０、板７２が前方側に移動され、ピニオンギヤ７０の回転によって、外カム枠４０、内カム枠５０も前方側（被写体側）に移動される。同時に、外カム枠４０の回動により、第２前枠２０も前方側に移動される。さらに、ＡＦモータ３１の駆動によって、第１前枠１０が第２前枠２０の内部から、前方側に移動される。同様に、第２レンズユニット８０（前段レンズ枠８１、絞りユニット８５、後段レンズ枠８７）も、外カム枠４０の回動により、前方側に移動される。前述したように、第２レンズユニット８０の焦点距離はワイド端で、第１前枠１０のピント位置は無限遠とする。
【００５６】
図５は、撮影状態でのテレ端での図である。更なるズーム環１００の回動操作によって、ピニオンギヤ７０、板７２の前後位置は変化しないが、ピニオンギヤ７０の回転によって、外カム枠４０、内カム枠５０がさらに前方側（被写体側）に移動される。あわせて第２前枠２０と第２レンズユニット８０もさらに前方側に移動される。以上本実施形態で説明したように、ズーム環１００の回動に連動してピニオンギヤ７０を移動させる手段として、一部でピニオンギヤ７０の歯と係合し、ズーム環１００の回動に連動して移動する板７２を内部に設けるようにしたので、カム枠（外カム枠４０、内カム枠５０）駆動用のピニオンギヤ７０をカム枠の前後移動に同期して駆動させるための機構をコンパクトに構成することができる。
【００５７】
なお、本実施の形態では、ズームレンズ鏡筒を交換レンズ形式のものを例にして説明したが、当然これに限られるものではない。レンズ一体型のカメラにも適用できることは当然である。なお、本発明は上述した実施形態そのままに限定されるものではく、実施段階でのその要旨を逸脱しない範囲で構成要素を変形して具体化することができる。また、上記実施形態に開示されている複数の構成要素の適宜な組み合わせにより、種々の発明を形成することができる。例えば、実施形態に示される全構成要素を適宜組合わせても良い。さらに、異なる実施形態にわたる構成要素を適宜組合わせてもよい。このような、発明の趣旨を逸脱しない範囲内において種々の変形や応用が可能であることはもちろんである。
【符号の説明】
【００５８】
１・・・レンズ鏡筒、１０・・・第１前枠、１１・・・フランジ部、１２・・・オスヘリコイドネジ、１３Ａ・・・嵌合溝、２０・・・第２前枠、２１・・・メスヘリコイドネジ、２２Ｃ・・・嵌合凸部、２３Ｂ・・・カムピン、  ２３・・・逃げ部、３０・・・ＡＦ枠、３１・・・ＡＦモータ、３２・・・ギヤボックス、３３・・・駆動リング、３４・・・ギヤ部、３５Ａ・・・駆動片、４０・・・外カム枠、４１Ｂ・・・カム溝、４２Ｄ・・・カム溝、４３・・・規制溝、４４・・・外周ギヤ、  ４５Ｅ・・・カムピン、４６Ｆ・・・円周溝、５０・・・内カム枠、５１Ｈ・・・直進溝、５２Ｃ・・・直進溝、５３Ｇ・・・規制突起  、５４Ｆ・・・規制突起、５５・・・フランジ部、６０・・・固定枠、６１・・・フランジ部、６２Ｅ・・・カム溝、６３Ｇ・・・直進溝、６４・・・取付部、６５・・・貫通口、６６・・・軸受け部、７０・・・ピニオンギヤ、７１・・・軸、７２・・・板、７３Ｊ・・・カムピン、７４・・・開口部
８０・・・第2レンズユニット、８１・・・前段レンズ枠、８５・・・絞りユニット、８６・・・絞りモータ、８７・・・後段レンズ枠、８８Ｈ・・・ガイド腕  、８９Ｄ・・・カムピン、９５・・・焦点環、９８・・・仕切り板、１００・・・ズーム環、１０１・・・内歯ギヤ、１０２Ｊ・・・沈胴カム溝、
１０３Ｊ・・・撮影カム溝、１０５・・・電気基板、１１０・・・第3レンズ枠、１1５・・・保持枠、１2０・・・レンズマウント、
Ｚ１・・・第1レンズ、Ｚ２１・・・第２１レンズ、Ｚ２２・・・第２２レンズ、Ｚ３・・・第３レンズ、ｐ・・・光軸、ｓ・・・移動軌跡
【図１】
2010256644.tif 000003
【図２】
2010256644.tif 000004
【図３】
2010256644.tif 000005
【図４】
2010256644.tif 000006
【図５】
2010256644.tif 000007